(57)【要約】  【課題】変形を抑制することができる机を提供する。  【解決手段】天板を備える机であって、上記天板は、該天板の前方の端部から下方に延びる前縦壁と、該天板の左方の端部から下方に延びる左縦壁と、該天板の右方の端部から下方に延びる右縦壁と、を有している。上記前縦壁は、上記左縦壁及び上記右縦壁よりも上下方向の長さが長く形成されている。【選択図】図１
2019063315.tif 000002
【特許請求の範囲】
【請求項１】
天板を備える机であって、
前記天板は、該天板の前方の端部から下方に延びる前縦壁と、該天板の左方の端部から下方に延びる左縦壁と、該天板の右方の端部から下方に延びる右縦壁と、を有しており、
前記前縦壁は、前記左縦壁及び前記右縦壁よりも上下方向の長さが長く形成されている、机。
【請求項２】
請求項１に記載の机であって、
さらに、幕板を備え、
前記前縦壁に設けられる天板連接部と、前記幕板における上方部分に設けられる幕板連接部と、は、前記天板又は前記幕板の厚さ方向に並べて配置されている、机。
【請求項３】
請求項１又は請求項２に記載の机であって、
さらに、少なくとも一部が前記天板の下側の面に沿って配置される天板支持部を備え、
前記左縦壁及び前記右縦壁のうちの少なくともいずれか一方の下端には、上向きの切欠きが形成されており、
前記天板支持部の少なくとも一部は、前記切欠きの内部を通過して前記天板の側方に延び出している、机。
【請求項４】
机であって、
略水平方向に拡がる水平部と、略垂直方向に拡がる垂直部と、を含み、前記水平部と前記垂直部とが一体として形成される屈曲部材と、
前記水平部及び前記垂直部のうちの少なくともいずれか一方に連接され、該一方の拡がる面に沿って拡がる拡張部材と、を備える、机。
【請求項５】
請求項４に記載の机であって、
前記水平部は当該机の天板の少なくとも一部を構成し、前記拡張部材は当該机の幕板の少なくとも一部を構成する、机。
【請求項６】
請求項４に記載の机であって、
前記垂直部は当該机の幕板の少なくとも一部を構成し、前記拡張部材は当該机の天板の少なくとも一部を構成する、机。
【請求項７】
請求項２に記載の机であって、
前記天板と前記幕板の境界部分に手掛け部が形成されている、机。
【請求項８】
請求項４から請求項６のいずれか１項に記載の机であって、
前記屈曲部材と前記拡張部材との境界部分に手掛け部が形成されている、机。
【請求項９】
請求項２に記載の机であって、
前記天板と前記幕板の境界部分に窪みが形成されている、机。
【請求項１０】
請求項４から請求項６のいずれか１項に記載の机であって、
前記屈曲部材と前記拡張部材との境界部分に窪みが形成されている、机。
【発明の詳細な説明】
【技術分野】
【０００１】
本開示は、机に関する。
【背景技術】
【０００２】
従来、下記特許文献１に開示されるように、天板と、幕板とを備えた机がある。
【先行技術文献】
【特許文献】
【０００３】
【特許文献１】特開２０１４−２１３０８６号公報
【発明の概要】
【発明が解決しようとする課題】
【０００４】
床面に固定されていない机のうち、特に机の移動を頻繁に行う用途に用いられる机においては、なるべく机全体の重量が軽いことが望ましい。天板及び幕板を軽量化するためには、それらを薄く成形することが考えられるが、そのように構成された天板や幕板では強度が低下して変形し易くなってしまう場合がある。
【０００５】
本開示の目的は、変形を抑制することができる机を提供することである。
【課題を解決するための手段】
【０００６】
本開示の第１の態様は、天板を備える机であって、前記天板は、該天板の前方の端部から下方に延びる前縦壁と、該天板の左方の端部から下方に延びる左縦壁と、該天板の右方の端部から下方に延びる右縦壁と、を有しており、前記前縦壁は、前記左縦壁及び前記右縦壁よりも上下方向の長さが長く形成されている、机である。
【０００７】
このような構成であれば、前縦壁、左縦壁、及び右縦壁によって、天板の強度が向上し、変形が抑制される。さらに、前縦壁が最も長く形成されていることから、天板の前方部分の強度をより高めることができる。一般に天板は前後方向よりも左右が長く形成されていることから、左右方向と交差する方向（例えば前後方向）を軸とした捻りを生じさせる変形が起こり易いが、前方部分の強度を高めることで、そのような変形を抑制することができる。また、左縦壁と右縦壁とが下方に長く延びすぎると、使用者にとって不便が生じ易いが、前縦壁は使用者への影響が少なく都合がよい。
【０００８】
上述した机は、さらに、幕板を備え、前記前縦壁に設けられる天板連接部と、前記幕板における上方部分に設けられる幕板連接部と、が、前記天板又は前記幕板の厚さ方向に並べて配置されていてもよい。
【０００９】
このような構成であれば、天板連接部と幕板連接部とが重複した重複部分において、変形が生じにくい強固な構造が形成される。例えば、幕板連接部が天板連接部よりも表側に配置される場合、幕板に表側から裏側に向かう荷重が加えられると、幕板に加わる荷重が幕板連接部を介して天板連接部に伝わり、天板においてもその荷重の一部を受けることができる。よって、荷重が掛かったときの幕板の変形を抑制できる。
【００１０】
また上述した本開示の第１の態様の机において、さらに、少なくとも一部が前記天板の下側の面に沿って配置される天板支持部を備え、前記左縦壁及び前記右縦壁のうちの少なくともいずれか一方の下端には、上向きの切欠きが形成されており、前記天板支持部の少なくとも一部は、前記切欠きの内部を通過して前記天板の側方に延び出していてもよい。
このような机であれば、天板と天板支持部との一体感や相互に関連することによる美観を創出することができ、机の美観を向上することができる。
【００１１】
本開示の第２の態様は、机であって、略水平方向に拡がる水平部と、略垂直方向に拡がる垂直部と、を含み、前記水平部と前記垂直部とが一体として形成される屈曲部材と、前記水平部及び前記垂直部のうちの少なくともいずれか一方に連接され、該一方の拡がる面に沿って拡がる拡張部材と、を備える、机である。
このような机であれば、交差する水平部と垂直部とが一体となった屈曲部材が高い強度を有するため、屈曲部材やその周囲の変形を抑制することができる。
【００１２】
なお上記の机において、前記水平部は当該机の天板の少なくとも一部を構成し、前記拡張部材は当該机の幕板の少なくとも一部を構成してもよい。また、前記垂直部は当該机の幕板の少なくとも一部を構成し、前記拡張部材は当該机の天板の少なくとも一部を構成してもよい。
このような構成であれば、天板と幕板とを連接させることにより、互いの強度を高くすることができる。
【００１３】
なお、上述した本開示の第１の態様の机において、天板と幕板とを設ける場合には、前記天板と前記幕板の境界部分に手掛け部が形成されていてもよい。また、上述した本開示の第２の態様の机において、前記屈曲部材と前記拡張部材との境界部分に手掛け部が形成されていてもよい。このような構成であれば、机に手掛け部を形成することができる。
【００１４】
また、上述した本開示の第１の態様の机において、天板と幕板とを設ける場合には、前記天板と前記幕板の境界部分に窪みが形成されていてもよい。また上述した本開示の第２の態様の机において、前記屈曲部材と前記拡張部材との境界部分に窪みが形成されていてもよい。このような構成であれば、机に窪みを形成することができる。例えば机の上面に窪みを形成することで、ペントレーとして機能させることができる。
【図面の簡単な説明】
【００１５】
【図１】実施形態の机の斜視図である。
【図２】実施形態の机の斜視図である。
【図３】実施形態の机の正面図である。
【図４】実施形態の天板及び幕板の斜視図である。
【図５】机がスタッキングした状態を示す側面図である。
【図６】実施形態の天板連接部及びその周辺部分の拡大斜視図である。
【図７】実施形態の幕板連接部及びその周辺部分の拡大斜視図である。
【図８】図８Ａが図３のＶＩＩＩＡ−ＶＩＩＩＡ断面図であり、図８Ｂが図３のＶＩＩＩＢ−ＶＩＩＩＢ断面図である。
【図９】図３のＩＸ−ＩＸ断面図である。
【図１０】図１０Ａ〜図１０Ｄが、変形例の天板連接部及び幕板連接部の断面図であり、図１０Ｅ〜図１０Ｈが、変形例の天板連接部及び幕板連接部の側面図である。
【図１１】図１１Ａが変形例の机の斜視図であり、図１１Ｂが天板連接部及び幕板連接部の右側面近傍の拡大図である。
【図１２】変形例の机の斜視図である。
【図１３】変形例の机の斜視図である。
【発明を実施するための形態】
【００１６】
以下に本開示の実施形態を図面と共に説明する。
［１．実施形態］
［１−１．全体構成］
本実施形態の机１は、図１〜図３に示されるように、天板１１と、幕板１３と、フレーム１５と、を有している。机１は使用者の着席位置が想定されるものであって、天板１１の後方が着席側となる。また左右の方向は、机１の使用者を基準とする方向である。机１は左右方向に関して対称形である。
【００１７】
天板１１は、主板２１と、前縦壁２３と、左縦壁２５Ｌと、右縦壁２５Ｒと、後縦壁２６と、を備える。天板１１を構成する各部３１は、一体として形成される。
主板２１は、略矩形であって前後左右方向、言い換えると水平方向に拡がる。前縦壁２３は、主板２１の前方部分に設けられ、主板２１前方の端部から下方に延びる。すなわち、前縦壁２３は垂直方向に広がる。左縦壁２５Ｌは、主板２１の左方の端部から下方に延びる板状の部材である。右縦壁２５Ｒは、主板２１の右方の端部から下方に延びる板状の部材である。後縦壁２６は、主板２１の後方の端部から下方に延びる板状の部材である。主板２１が水平部の一例であり、前縦壁２３が垂直部の一例である。また天板１１が屈曲部材の一例である。
【００１８】
このような構成である天板１１は、下方が開放された箱型の形状である。前縦壁２３は、左縦壁２５Ｌ及び右縦壁２５Ｒよりも上下方向の長さが長く、より下方まで延び出している。主板２１の後端における一部の範囲は下方に傾斜しており、その結果、後縦壁２６の上下方向の長さは左縦壁２５Ｌ及び右縦壁２５Ｒよりも短くなっている。
【００１９】
前縦壁２３は、その左右の下方に設けられた左下端部２３Ｌ及び右下端部２３Ｒにおいて幕板１３と連接する。前縦壁２３と幕板１３の前側面の段差は小さく形成されており、それによって、天板１１と幕板１３とが一体的な印象を与える形状となる。また前縦壁２３の下端の中央部と幕板１３の上端の中央部との間、すなわち天板１１と幕板１３との境界部分には、指などを挿入可能な手掛け部３１が形成されている。天板１１と幕板１３との連接構造の詳細については、後述する。
【００２０】
図４に示されるように、左縦壁２５Ｌ及び右縦壁２５Ｒには、前後方向に関して中央よりもやや後方寄りの位置に、半円形の上向きの切欠き２７が形成されている。主板２１の下側面には、前後方向に延びる中空の略直方体である突条部２８が左右に１つずつ設けられている。
【００２１】
説明を図１〜図３に戻る。
幕板１３は、略矩形の板状の部材であって、机１の前方において前縦壁２３の下端につながるように配置される。詳細には、幕板１３の上端の左側部分に設けられた左上端部１３Ｌが左下端部２３Ｌと連接され、右側部分に設けられた右上端部１３Ｒが右下端部２３Ｒと連接される。幕板１３が、拡張部材の一例である。
【００２２】
フレーム１５は、上下に長さを有し、天板１１及び幕板１３を床面から離れた位置に保持する脚部４１を、左右両側に有する。脚部４１は、前脚４２、後脚４３、及び連結部４４を有する。前脚４２は、脚部４１の中では相対的に前方に位置し、上下方向に延びる。後脚４３は、脚部４１の中では相対的に後方に位置し、上下方向に延びる。連結部４４は、前脚４２と後脚４３の下端を前後に連結する。
【００２３】
またフレーム１５は、天板１１を支持する下部構造体５０として、前杆５１、天板支持部５２、左右両側に設けられた一対の前後杆５３、及び、スタックガード５４を有する。これらは、天板１１の下側面に沿って配置される。
【００２４】
前杆５１は、左右両側の前脚４２の上端同士を連結する。天板支持部５２は、左右両側の後脚４３の上端同士を連結する。前後杆５３は、突条部２８を左右及び下方から覆うように設けられ、前後に並ぶ前杆５１と天板支持部５２とを連結する。スタックガード５４は前後杆５３の下側の面に配置されており、前後方向に長さを有する。またスタックガード５４は下部構造体５０の下端に位置する。
【００２５】
天板支持部５２は、主板２１に対して下方から直接的に又は間接的に接触し、天板１１を支持している。天板支持部５２は、その左右両端部分よりも左右中央部分が後方に位置するように屈曲している。また天板支持部５２は、左右両方の端部において、切欠き２７の内部を通過して天板１１の側方に延び出した保持部６１が形成されている。
【００２６】
この机１は、スタッキングが可能に構成されている。図５に示されるように、複数の机１がスタッキングされた状態で、上側の机１が、下側の机１よりも若干前方にずれて配置される。下側に配置される机１の天板１１の主板２１における上側の面に、上側に配置される机１のスタックガード５４の下端面が当接する。
【００２７】
［１−２．天板と幕板との連結構造］
図６〜図９を用いて天板１１と幕板１３との連結構造を説明する。
図６は天板１１を下方から見た斜視図である。なお図６では左下端部２３Ｌ及びその周辺を図示する。右下端部２３Ｒは左下端部２３Ｌの左右を反転した形状である。天板１１の前縦壁２３には、左下端部２３Ｌの下端において、天板連接部７１が設けられている。
【００２８】
天板連接部７１は、左下端部２３Ｌの下端において、後方側の面７５が前方に凹んだ形状となっている部分である。言い換えると、天板連接部７１は、後方側の面７５が、天板１１の左下端部２３Ｌにおける天板連接部７１に隣接する第１隣接部８１における後方側の面よりも、前方側の領域に位置している。
【００２９】
天板連接部７１の右端部には、後方に向かって長さを有する内側当接部８２が設けられている。天板連接部７１の左端部には、後方に向かって長さを有する外側当接部８３が設けられている。外側当接部８３の後端には、外側当接部８３よりも内側（右側）に向かって突出する後方当接部８４が設けられている。
【００３０】
図７は幕板１３を上方から見た斜視図である。なお図７では左上端部１３Ｌ及びその周辺を図示する。右上端部１３Ｒは左上端部１３Ｌの左右を反転した形状である。左上端部１３Ｌの上端には、幕板連接部７２が設けられている。つまり、幕板連接部７２は幕板１３の上方部分に設けられる。
【００３１】
幕板連接部７２は、左上端部１３Ｌの上端において、前方側の面７６（図８Ａ、８Ｂ参照）が後方に凹んだ形状になっている部分である。言い換えると、幕板連接部７２は、前方側の面７６が、幕板１３の左上端部１３Ｌにおける幕板連接部７２に隣接する第２隣接部９１における前方側の面よりも、後方側の領域に位置している。
【００３２】
幕板連接部７２の右端部には、後方に向かって長さを有する内側延出部９２が設けられている。幕板連接部７２の左端部には、後方に向かって長さを有する外側延出部９３が設けられている。
【００３３】
図８Ａ、８Ｂ及び図９に示されるように、天板連接部７１及び幕板連接部７２は、幕板１３の厚さ方向、すなわち前後方向に並べて配置されている。幕板連接部７２が、相対的に幕板１３の裏側（後方側）に配置される。
本実施形態では、天板連接部７１と幕板連接部７２の間には小さなクリアランスが形成されているが、天板連接部７１及び幕板連接部７２は当接していてもよい。
【００３４】
天板連接部７１及び幕板連接部７２は、上述したように周囲よりも前後方向に関して凹んだ形状であるため、前後方向に並べて配置されたときに、天板連接部７１の前方側の表面と第２隣接部９１の前方側の表面との段差がほとんどない、いわゆる面一の状態となる。また、幕板連接部７２の後方側の表面と第１隣接部８１の後方側の表面の段差もほとんどなくなる。
【００３５】
また、幕板連接部７２は、図９に示されるように、外側延出部９３が、天板連接部７１と、後方当接部８４と、によって、前後に挟まれる。また、幕板連接部７２は、内側当接部８２と、外側当接部８３と、によって左右から挟まれる。すなわち、幕板連接部７２は、前縦壁２３によって前後左右から挟まれた状態となる。また、左上端部１３Ｌと右上端部１３Ｒ、及び、左下端部２３Ｌと右下端部２３Ｒは左右対称形状である。そのため、図９に示されるように、右上端部１３Ｒの外側延出部９３は、右下端部２３Ｒの外側当接部８３によって右側が覆われ、同時に、図示しないが、左上端部１３Ｌの外側延出部９３は、左下端部２３Ｌの外側当接部８３によって左側が覆われる。すなわち、幕板１３全体として見たときには、幕板１３に設けられる左右２つの幕板連接部７２は、左右から外側当接部８３により挟まれる。
【００３６】
［１−３．効果］
以上詳述した実施形態によれば、以下の効果が得られる。
（１ａ）本実施形態の机１では、天板１１が、主板２１と交差する前縦壁２３、左縦壁２５Ｌ、及び右縦壁２５Ｒと一体に構成されることによって、天板１１の強度が向上する。そのため、天板１１の変形が抑制される。また、前縦壁２３が最も長く形成されていることから、天板１１の前方部分の強度をより高めることができる。それにより、左右方向と交差する方向（例えば前後方向）を軸とした捻りを生じさせる変形が生じることをより高度に抑制できる。
また、前縦壁２３が下方向に長く延び出していても、左縦壁２５Ｌと右縦壁２５Ｒとが下方に長く延びすぎる場合と比較して使用者への影響が少なく都合がよい。
【００３７】
（１ｂ）机１では、天板連接部７１と幕板連接部７２とが前後方向に重複している。そのため、その重複部分においては変形が生じにくくなる。具体的には、前縦壁２３に前方から後方に向かう荷重が加えられると、前縦壁２３に加わる荷重を、幕板連接部７２を介して幕板１３により受けることができる。よって、机１は、荷重が加えられたときの天板連接部７１の変形を抑制することができる。
【００３８】
（１ｃ）幕板連接部７２は、前後方向及び左右方向に関して、前縦壁２３によって挟まれた位置関係となっている。そのため、幕板連接部７２と天板連接部７１との位置がずれにくくなる。具体的には、荷重が加えられることにより、相対的に幕板連接部７２が前方に移動しようとする場合には、幕板連接部７２が天板連接部７１に当接し、幕板連接部７２が後方に移動しようとする場合には、外側延出部９３が後方当接部８４に当接する。同様に、幕板連接部７２が左右のいずれかに移動しようとする場合には、左右いずれかの外側延出部９３が外側当接部８３に当接する。よって、天板連接部７１と幕板連接部７２との間のずれが生じにくくなり、それらのずれに起因する机１の美観の低下を抑制できる。
【００３９】
（１ｄ）天板連接部７１は、幕板連接部７２に対向する後方側の面７５が、第１隣接部８１よりも前方よりに位置している。また、幕板連接部７２は、天板連接部７１に対向する前方側の面７６が、第２隣接部９１よりも後方よりに位置している。そのため、天板連接部７１と幕板連接部７２との重複部分が厚くなってしまうことが抑制され、机１の美観の低下を抑制することができる。
【００４０】
（１ｅ）保持部６１は切欠き２７の内部を通過して天板１１の側方に延び出しているため、天板１１と保持部６１との一体感や相互の関連性による美観を創出することができ、机１の美観を向上させることができる。
また、保持部６１は切欠き２７の内部を通過していることから、天板１１の上端から保持部６１の下端までの距離が小さくなる。これにより、スタッキングのピッチを小さくすることができる。仮に、保持部６１が左縦壁２５Ｌ又は右縦壁２５Ｒの下方を通過するように設けられた場合、スタックガード５４の下端面よりも保持部６１の下端が低くなってしまうことでスタッキングのピッチが大きくなってしまうが、上記実施形態の机１ではそのような問題を抑制できる。
【００４１】
［２．その他の実施形態］
以上本開示の実施形態について説明したが、本開示は、上記実施形態に何ら限定されることはなく、本開示の技術的範囲に属する限り種々の形態をとり得ることはいうまでもない。
【００４２】
（２ａ）上記実施形態において例示した天板連接部７１及び幕板連接部７２は一例であり、その具体的な構成は特に限定されない。
例えば、上記実施形態の机１では、手掛け部３１によって左右に分けられることにより、天板連接部７１及び幕板連接部７２の組み合わせが２組設けられる構成を例示したが、例えば机が手掛け部を有しておらず、１組の天板連接部及び幕板連接部の組み合わせを有するように構成されていてもよいし、３組以上に分けて設けられていてもよい。
【００４３】
また、天板連接部及び幕板連接部の具体的な形状も特に限定されない。図１０Ａ〜１０Ｈに天板連接部及び幕板連接部の具体的な形状の例を示す。図１０Ａは、図９と同じ位置の平面による断面図である。天板連接部と幕板連接部とが前後に並ぶ前（すなわち、天板と幕板とを組み付ける前）の状態の側面図を図１０Ｂに模式的に示す。この天板連接部７１ａは、幕板連接部７２ａの前方に配置されるとともに、幕板連接部７２ａを左右方向から挟み込む。
【００４４】
以下の図１０Ｃ、１０Ｅ、１０Ｇは、図１０Ａと同じ平面による断面図である。また図１０Ｄ、１０Ｆ、１０Ｈは、図１０Ｂと同様に、天板連接部と幕板連接部とが前後に並ぶ前の状態の模式的な側面図である。
【００４５】
図１０Ｃ、１０Ｄに示す例では、幕板連接部７２ｂが前後から天板連接部７１ｂに挟まれる。
図１０Ｅ、１０Ｆに示す例では、天板連接部７１ｃが、前後のみでなく左右方向からも幕板連接部７２ｃを挟むように構成される。
【００４６】
図１０Ｇ、１０Ｈに示す例では、天板連接部７１ｄと幕板連接部７２ｄとが互い違いに配置される。
また、天板連接部と幕板連接部とは、いずれが前方に位置していてもよい。すなわち、上記実施形態及び図１０にて示した天板連接部と幕板連接部との位置関係が反対になっていてもよい。
【００４７】
すなわち、天板連接部及び幕板連接部のうちの少なくともいずれか一方である第１部は、該第１部から上記一方とは異なる他方である第２部へ向かう方向を所定方向としたときに、上記第１部における上記所定方向側の面が、該第１部が設けられた天板又は幕板における該第１部に隣接する隣接部における上記所定方向側の面よりも、上記所定方向とは反対方向の領域に位置するように形成されていてもよい。
また、上記第１部は、上記第２部よりも、相対的に天板又は幕板の裏側に配置される部分であってもよい。
【００４８】
（２ｂ）上記実施形態においては、天板１１の前方において下方に延びる前縦壁２３と、幕板１３とが連接する構成を例示したが、天板１１と幕板１３とが連接する位置は上記実施形態に限定されない。例えば、図１１に示される机１０１ように、幕板１１３が、上下方向に長さを有する主板部１２１と、主板部１２１の上端から後方に向かって広がる副板部１２２と、を有しており、幕板連接部１３２が、副板部１２２に設けられる構成としてもよい。このとき、天板１１１の前方には前縦壁２３に対応する部分はなく、天板の前端に天板連接部１３１が設けられる。天板連接部１３１及び幕板連接部１３２は、いずれも左右に広がる板状の部材であって、天板連接部１３１が幕板連接部１３２の表側（上側）となるように重ねて配置される。
【００４９】
天板連接部１３１と幕板連接部１３２の具体的な構成は図１１の構成に限定されず、それらが上下方向、すなわち、天板１１１の厚さ方向に並べて配置されていれる限りにおいて様々な形態とすることができる。例えば、天板連接部１３１が幕板連接部１３２の裏側に配置されていてもよい。
【００５０】
机１０１の天板連接部１３１と幕板連接部１３２の境界部分には、下方に窪む凹部１４１が左右方向に拡がって形成されている。この凹部１４１は、ペントレーとして使用することができる。この机１０１において、幕板１１３が屈曲部材の一例であり、天板１１１が拡張部材の一例である。窪みの一例である凹部１４１は、天板１１１左右方向の両端部まで延在しているが、左右方向における一部分にのみ配置されていてもよい。
【００５１】
（２ｃ）上記実施形態では、手掛け部３１は貫通孔となる構成を例示したが、手掛け部は、手や指を挿入可能に構成されていれば、前方から後方に向かって窪む凹部であってもよい。その場合、凹部の内部などにおいて天板と幕板とが連接することとなるが、その部分には天板連接部と幕板連接部が形成されていてもよいし、されていなくともよい。
また上記実施形態では、手掛け部３１として、前縦壁２３の下端部分に設けられた上側に向かう切欠きと、幕板１３の上端部分に設けられた下側に向かう切欠きと、を含む構成を例示した。しかしながら、手掛け部は、前縦壁２３及び幕板１３のうちのいずれか一方にのみ形成された切欠き部分によって構成されていてもよい。
【００５２】
（２ｄ）上記実施形態では、水平部の一例である主板２１が水平方向に拡がり、垂直部の一例である前縦壁２３が垂直方向に拡がる構成を例示した。しかしながら、主板２１の拡がる方向は厳密に水平方向である必要はなく、机１０１の天板として利用可能な範囲で水平方向から傾斜を有した略水平方向であってもよい。また前縦壁２３も同様に、拡がる方向が厳密に垂直方向でなくともよく、幕板１３と連接して一体感を有する範囲で垂直方向から傾斜を有した略垂直方向であってもよい。この場合、幕板１３も幕板としての機能を発揮できる範囲で垂直方向から傾斜していてもよい。
【００５３】
また、水平部は、少なくとも天板の一部を構成するものであってもよい。言い換えると、天板の全部が水平部であってもよいし、天板の一部が水平部であってもよい。また、垂直部は、少なくとも幕板の一部を構成するものであってもよい。言い換えると、幕板の全部が垂直部であってもよいし、幕板の一部が垂直部であってもよい。
【００５４】
（２ｅ）上記実施形態では、屈曲部材に該当する天板１１と拡張部材に該当する幕板１３とが連接される構成を例示した。また、図１１においては幕板１１３が屈曲部材に該当し、天板１１１が拡張部材に該当する構成を例示した。しかしながら、図１２に示される机１５１のように、屈曲部材１５２が、天板１５３及び幕板１５４と連接するように構成されていてもよい。屈曲部材１５２は、一体に構成された水平部１５５と垂直部１５６とを備える部材である。
（２ｆ）上記実施形態では、天板と幕板とが異なる部材である構成を例示したが、図１３に示す机１６１のように、天板と幕板とが、天板部１６２と幕板部１６３とを有する１つの複合部１６４によって構成されていてもよい。机１６１は、机１と同様に、天板部１６２の右方の端部から下方に延びる右縦壁１６５の他、左縦壁及び後縦壁を備えている。つまり、複合部１６４は下方が開放された箱型である。
【００５５】
（２ｇ）上記実施形態における１つの構成要素を、複数の構成要素によって実現したり、複数の構成要素を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【００５６】
１…机、１１…天板、１３…幕板、１３Ｌ…左上端部、１３Ｒ…右上端部、１５…フレーム、２１…主板、２３…前縦壁、２３Ｌ…左下端部、２３Ｒ…右下端部、２５Ｌ…左縦壁、２５Ｒ…右縦壁、２６…後縦壁、２７…切欠き、２８…突条部、３１…手掛け部、４１…脚部、４２…前脚、４３…後脚、４４…連結部、５０…下部構造体、５１…前杆、５２…天板支持部、５３…前後杆、５４…スタックガード、６１…保持部、７１，７１ａ〜７１ｄ…天板連接部、７２，７２ａ〜７２ｄ…幕板連接部、７５…面、７６…面、８１…第１隣接部、８２…内側当接部、８３…外側当接部、８４…後方当接部、９１…第２隣接部、９２…内側延出部、９３…外側延出部、１０１…机、１１１…天板、１１３…幕板、１２１…主板部、１２２…副板部、１３１…天板連接部、１３２…幕板連接部、１４１…凹部、１５１…机、１５２…屈曲部材、１５３…天板、１５４…幕板、１５５…水平部、１５６…垂直部、１６１…机、１６２…天板部、１６３…幕板部、１６４…複合部、１６５…右縦壁
【図１】
2019063315.tif 000003
【図２】
2019063315.tif 000004
【図３】
2019063315.tif 000005
【図４】
2019063315.tif 000006
【図５】
2019063315.tif 000007
【図６】
2019063315.tif 000008
【図７】
2019063315.tif 000009
【図８】
2019063315.tif 000010
【図９】
2019063315.tif 000011
【図１０】
2019063315.tif 000012
【図１１】
2019063315.tif 000013
【図１２】
2019063315.tif 000014
【図１３】
2019063315.tif 000015